(57)【要約】【課題】飲料水の塩素濃度を、簡易かつ自動的に適正な値に維持すること。【解決手段】飲料水を一時蓄積する蓄積槽２２と、蓄積槽２２に連結し、蓄積槽２２内に一時蓄積された飲料水を一時蓄積するサブ蓄積槽７と、蓄積槽２２とサブ蓄積槽７とに一時蓄積された飲料水を循環させるポンプ２５と、サブ蓄積槽７内に設けられ、飲料水に溶解された塩素の濃度を検出する塩素濃度検出部６を有し、この塩素濃度検出部６の出力をもとに塩素の濃度を測定する塩素濃度測定部３と、塩素濃度測定部３が測定した塩素の濃度をもとに、蓄積槽２２内の塩素発生電極２４による塩素発生量を制御する塩素発生制御部２６とを備える。【選択図】      図１
2004223419.tif 000002
【特許請求の範囲】
【請求項１】
水道水の注水口から飲料水の給水口までの間を接続する給水管の途中に飲料水を一時蓄積する蓄積槽を設け、この蓄積槽内に設けられた塩素発生用電極に電圧を印加させて塩素を発生させ、一時蓄積された飲料水に対して塩素を溶解させ、この溶解された飲料水を前記給水口から給水する塩素濃度制御装置において、
前記飲料水に溶解された塩素の濃度を検出する塩素濃度検出部を有し、この塩素濃度検出部の出力をもとに前記塩素の濃度を測定する塩素濃度測定手段と、
前記塩素濃度測定手段が測定した塩素の濃度をもとに前記塩素発生用電極による塩素発生量を制御する制御手段と、
を備えたことを特徴とする塩素濃度制御装置。
【請求項２】
前記蓄積槽に連結し、前記蓄積槽内に一時蓄積された飲料水を一時蓄積するサブ蓄積槽と、
前記蓄積槽と前記サブ蓄積槽とに一時蓄積された飲料水を循環させるポンプとを備え、
前記塩素濃度検出部は、前記サブ蓄積槽内に配置されることを特徴とする請求項１に記載の塩素濃度制御装置。
【請求項３】
前記蓄積槽内に一時蓄積された飲料水を攪拌する攪拌手段を備え、
前記塩素濃度検出部は、前記蓄積槽内に配置されることを特徴とする請求項１に記載の塩素濃度制御装置。
【請求項４】
前記塩素濃度測定手段は、前記塩素濃度検出部の近傍の温度を検出する温度検出センサを備え、該温度検出センサが検出した温度をもとに前記塩素濃度検出部が検出した塩素の濃度を補正することを特徴とする請求項１〜３のいずれか一つに記載の塩素濃度制御装置。
【請求項５】
前記塩素濃度測定手段は、前記濃度検出部の近傍のｐＨ値を予め求め、この予め求めたｐＨ値をもとに前記塩素濃度検出部が検出した塩素の濃度を補正することを特徴とする請求項１〜４のいずれか一つに記載の塩素濃度制御装置。
【請求項６】
前記塩素濃度測定手段は、ポーラログラフ法を用いて塩素の濃度を測定することを特徴とする請求項１〜５のいずれか一つに記載の塩素濃度制御装置。
【請求項７】
前記塩素濃度測定手段は、前記ポンプによる循環または前記攪拌手段による攪拌を行う場合に、前記塩素の濃度を測定することを特徴とする請求項１〜６のいずれか一つに記載の塩素濃度制御装置。
【請求項８】
前記塩素濃度測定手段は、前記塩素濃度検出部に対して前記蓄積槽または前記サブ蓄積槽の飲料水への挿脱を行わせる駆動手段を備えたことを特徴とする請求項１〜７のいずれか一つに記載の塩素濃度制御装置。
【請求項９】
前記塩素濃度検出部は、塩素濃度測定用の電極を有し、
前記塩素濃度測定手段は、所定期間毎に、前記塩素濃度測定用の電極に印加される電圧の極性を反転させて前記塩素の濃度を測定することを特徴とする請求項１〜８のいずれか一つに記載の塩素濃度制御装置。
【請求項１０】
前記塩素濃度測定手段は、前記塩素濃度測定用の電極に印加される電圧の極性の反転時における初期の昇圧制御を徐々に行うことを特徴とする請求項９に記載の塩素濃度制御装置。
【発明の詳細な説明】
【０００１】
【発明の属する技術分野】
この発明は、電気分解法によって水道水から塩素を発生させることによって水道水を殺菌し、かつ均一な塩素濃度を有した飲料水を供給制御を行う塩素濃度制御装置に関するものである。
【０００２】
【従来の技術】
水道水を水源とするカップ式自動販売機、製氷機、飲料水供給装置などでは、注水口から取り入れた水道水を電気分解し、生成された遊離残留塩素（塩素（Ｃｌ２）、次亜塩素酸（ＨＣｌＯ）、次亜塩素酸イオン（ＣｌＯ−））の持つ強力な殺菌効果を利用して、衛生的な飲料水を給水口から供給している。
【０００３】
図５は、上述したカップ式自動販売機などに用いられる従来の塩素濃度制御装置の構成を示すブロック図である。塩素濃度制御装置２０は、注水口と給水口との間を接続する給水管２３を有し、この給水管２３の途中に、一時的に飲料水を蓄積する蓄積槽２２が設けられる。また、蓄積槽２２の上流側には、水に含まれる塩素臭や小異物を除去および濾過を行うカーボンフィルタ２７が設けられ、蓄積槽２２の下流側には、蓄積槽２２内に一時蓄積された飲料水を給水口側に出力させるポンプ２５が設けられる。
【０００４】
蓄積槽２２内には、塩素発生用電極２４が設けられ、この塩素発生用電極２４は、注水口側から流入して一時蓄積された飲料水から、電気分解法によって塩素を発生させる。制御部２１は、塩素発生制御部２６を有し、塩素濃度制御装置２０の全体制御を行う。塩素発生制御部２６は、塩素発生用電極２４に印加される電圧を制御し、一時蓄積された飲料水から、電気分解法によって塩素を発生させる。なお、制御部２１は、バルブ２８の開閉制御を行い、水道水の注水口からの注入を制御するとともに、バルブ２９の開閉制御を行い、蓄積槽２２内に一時蓄積された飲料水の給水を制御する。
【０００５】
塩素発生制御部２６の制御のもとに、塩素発生用電極２４に電圧が印加されると、上述したように、蓄積槽２２内に一時蓄積された飲料水が電気分解され、塩素発生用電極２４から塩素が発生する。ここで、塩素発生用電極２４から発生した塩素は、再び飲料水に溶解して遊離残留塩素となる。この遊離残留塩素は、塩素（Ｃｌ２）と、次亜塩素酸（ＨＣｌＯ）と、次亜塩素酸イオン（ＣｌＯ−）から成り、いずれも強力な殺菌作用を持つ。なお、飲料水中に塩素を発生させる装置としては、たとえば特許文献１〜３に開示されている。
【０００６】
この遊離残留塩素が溶解した飲料水は飲料用として給水されるが、この飲料水内に溶解した遊離残留塩素が殺菌に必要な濃度に達しているか否かを確認する検査としては、給水口から飲料水を抽出し、この抽出した飲料水に試薬を加え、カラーチャートとの比色や吸光度測定を行う、オルトトリジン法やＤＰＤ法などがある。
【０００７】
【特許文献１】
特開２００１−２２９４５０号公報（第２−３頁、図１）
【特許文献２】
特開平９−１１４９号公報（第２−３頁、図１）
【特許文献３】
特開２０００−２１０６６５号公報（第３−５頁、図１）
【０００８】
【発明が解決しようとする課題】
しかしながら、上述したオルトトリジン法やＤＰＤ法は、人手によってサンプルの採取などを行うため、塩素濃度測定に多大な時間と労力とがかかるという問題点があった。特に、自動販売機などに用いる場合には、自動販売機が分散配置されることから、塩素濃度維持のために、さらに一層の時間と労力とがかかるという問題点があった。
【０００９】
また、たとえ塩素濃度の濃度補正が必要であると判断されても、適正な塩素濃度が発生できるようにする調整を迅速に行うことが困難であるという問題点もあった。
【００１０】
この発明は上記に鑑みてなされたものであって、飲料水の塩素濃度を、簡易かつ自動的に適正な値に維持することができる塩素濃度制御装置を提供することを目的とする。
【００１１】
【課題を解決するための手段】
上記目的を達成するために、請求項１にかかる塩素濃度制御装置は、水道水の注水口から飲料水の給水口までの間を接続する給水管の途中に飲料水を一時蓄積する蓄積槽を設け、この蓄積槽内に設けられた塩素発生用電極に電圧を印加させて塩素を発生させ、一時蓄積された飲料水に対して塩素を溶解させ、この溶解された飲料水を前記給水口から給水する塩素濃度制御装置において、前記飲料水に溶解された塩素の濃度を検出する塩素濃度検出部を有し、この塩素濃度検出部の出力をもとに前記塩素の濃度を測定する塩素濃度測定手段と、前記塩素濃度測定手段が測定した塩素の濃度をもとに前記塩素発生用電極による塩素発生量を制御する制御手段とを備えたことを特徴とする。
【００１２】
また、請求項２にかかる塩素濃度制御装置は、上記の発明において、前記蓄積槽に連結し、前記蓄積槽内に一時蓄積された飲料水を一時蓄積するサブ蓄積槽と、前記蓄積槽と前記サブ蓄積槽とに一時蓄積された飲料水を循環させるポンプとを備え、前記塩素濃度検出部は、前記サブ蓄積槽内に配置されることを特徴とする。
【００１３】
また、請求項３にかかる塩素濃度制御装置は、上記の発明において、前記蓄積槽内に一時蓄積された飲料水を攪拌する攪拌手段を備え、前記塩素濃度検出部は、前記蓄積槽内に配置されることを特徴とする。
【００１４】
また、請求項４にかかる塩素濃度制御装置は、上記の発明において、前記塩素濃度測定手段は、前記塩素濃度検出部の近傍の温度を検出する温度検出センサを備え、該温度検出センサが検出した温度をもとに前記塩素濃度検出部が検出した塩素の濃度を補正することを特徴とする。
【００１５】
また、請求項５にかかる塩素濃度制御装置は、上記の発明において、前記塩素濃度測定手段は、前記塩素濃度検出部の近傍のｐＨ値を予め求め、この予め求めたｐＨ値をもとに前記塩素濃度検出部が検出した塩素の濃度を補正することを特徴とする。
【００１６】
また、請求項６にかかる塩素濃度制御装置は、上記の発明において、前記塩素濃度測定手段は、ポーラログラフ法を用いて塩素の濃度を測定することを特徴とする。
【００１７】
また、請求項７にかかる塩素濃度制御装置は、上記の発明において、前記塩素濃度測定手段は、前記ポンプによる循環または前記攪拌手段による攪拌を行う場合に、前記塩素の濃度を測定することを特徴とする。
【００１８】
また、請求項８にかかる塩素濃度制御装置は、上記の発明において、前記塩素濃度測定手段は、前記塩素濃度検出部に対して前記蓄積槽または前記サブ蓄積槽の飲料水への挿脱を行わせる駆動手段を備えたことを特徴とする。
【００１９】
また、請求項９にかかる塩素濃度制御装置は、上記の発明において、前記塩素濃度検出部は、塩素濃度測定用の電極を有し、前記塩素濃度測定手段は、所定期間毎に、前記塩素濃度測定用の電極に印加される電圧の極性を反転させて前記塩素の濃度を測定することを特徴とする。
【００２０】
また、請求項１０にかかる塩素濃度制御装置は、上記の発明において、前記塩素濃度測定手段は、前記塩素濃度測定用の電極に印加される電圧の極性の反転時における初期の昇圧制御を徐々に行うことを特徴とする。
【００２１】
【発明の実施の形態】
以下に図面を参照して、この発明にかかる塩素濃度制御装置の好適な実施の形態について説明する。
【００２２】
（実施の形態１）
まず、この発明の実施の形態１について説明する。図１は、この発明の実施の形態１にかかる塩素濃度制御装置の構成を示すブロック図である。図１において、塩素濃度制御装置１は、水道水を注水口から取り入れ、この水道水に適正な濃度の塩素を溶解させた飲料水を給水口から給水する。この注水口と給水口との間は、給水管２３によって接続され、この給水管２３の途中に、注水口側から順次、バルブ２８、一時的に飲料水を蓄積する蓄積槽２２、サブ蓄積槽７、ポンプ２５、三方弁８、およびバルブ２９が設けられる。また、蓄積槽２２と三方弁８との間には、配管９によって接続されている。
【００２３】
バルブ２８は、注水口からの水道水の注入が制御される開閉弁であり、バルブ２９は、給水口からの飲料水の給水が制御される開閉弁である。バルブ２８を介して注水された飲料水は、カーボンフィルタ２７によって、水道水に含まれる塩素臭や小異物が取り除かれ、蓄積槽２２に流入して一時蓄積される。
【００２４】
一時蓄積した飲料水は、蓄積槽２２内に設けられた塩素発生用電極２４から発生した塩素が溶解し、この飲料水内で遊離残留塩素を発生することによって、殺菌された飲料水となる。すなわち、制御部２の塩素発生制御部２６は、飲料水中に溶解する塩素イオンを電気分解法によって塩素ガスを発生させ、この塩素ガスを再び飲料水中に溶解させて遊離残留塩素を発生させる。この遊離残留塩素は、上述した強力な殺菌作用があるため、飲料水中の雑菌を死滅さることができる。
【００２５】
ここで、サブ蓄積槽７内には、飲料水が一時蓄積され、２つの塩素濃度測定用電極６ａ（アノード），６ｂ（カソード）を有した塩素濃度検出部６が設けられる。塩素濃度測定部３は、塩素濃度検出部６の検出値をもとに塩素濃度を測定し、この測定結果を塩素発生制御部２６に通知する。塩素発生制御部２６は、この塩素濃度が適正値となるように、塩素発生用電極２４に印加される電圧を制御して、塩素発生用電極２４から発生する塩素ガスの量を制御し、最終的に遊離残留塩素の濃度を制御する。ここで、塩素発生制御部２６は、単位時間当たりの電圧印加時間を制御するによって塩素濃度を制御することが好ましい。
【００２６】
塩素濃度測定部３は、定期的に塩素濃度の測定を行うが、この際、塩素濃度検出部６によって検出される塩素濃度が、蓄積槽２２およびサブ蓄積槽７に平均化されるように、制御部２は、ポンプ２５を駆動し、かつ三方弁８を配管９側に接続することによって、蓄積槽２２およびサブ蓄積槽７の飲料水を循環させる。
【００２７】
一方、飲料水を給水する場合、制御部２は、ポンプ２５を駆動し、かつ三方弁８を給水口側に接続し、バルブ２９を開とすることによって、給水口から飲料水を給水出力する。
【００２８】
ここで、サブ蓄積槽７に設けられた２つの塩素濃度測定用電極６ａ（アノード），６ｂ（カソード）は、ポーラログラフ法による塩素濃度測定用の電極である。ポーラログラフ法による遊離残留塩素の濃度測定は、つぎに示す原理に基づいている。すなわち、被測定の飲料水が所定のｐＨを満たす条件下において、遊離残留塩素は、
ＨＣｌＯ  ←→  Ｈ＋  ＋  ＣｌＯ−
の平衡状態にある。この状態で、被測定の飲料水中に、カソード（Ａｕ）とアノード（Ａｇ）を挿入し、各電極に電圧を印加すると、カソード（Ａｕ）では次式に示される還元反応が起こる。
ＨＣｌＯ  ＋  ｅ−  →  １／２Ｈ２  ＋  ＣｌＯ−
また、アノード（Ａｇ）では次式に示される酸化反応が起こる。
Ａｇ  →  Ａｇ＋  ＋  ｅ−
Ａｇ  ＋  ＣｌＯ−  →  ＡｇＣｌ  ＋  １／２Ｏ２
従って、水中の遊離残留塩素の濃度に比例した電流が電極間に流れ、予め遊離残留塩素濃度と電流特性とを求めておけば、流れた電流値を測定することによって、遊離残留塩素の濃度を知ることができる。このポーラログラフ法による遊離残留塩素の濃度測定を用いることによって、リアルタイムで遊離残留塩素の濃度を知ることができる。
【００２９】
リアルタイムに遊離残留塩素の濃度を知ることができると、例えば、塩素発生用電極２４の磨耗や汚れ等によって塩素発生量が減少した場合、この塩素発生量の減少量を直ちに知ることができ、この減少量を塩素発生制御部２６に帰還させることによって、自動的に塩素発生量の減少を補い、適正な遊離残留塩素の値に回復するまで塩素発生用電極２４に電圧を印加する。
【００３０】
また、水道水の注水量が減少し、遊離残留塩素の濃度が適正値に比して増加した場合、この増加量を、塩素発生制御部２６に帰還させることによって、塩素発生用電極２４に対する電圧の印加を停止し、適正な遊離残留塩素の値に戻るまで電圧の印加を抑制し続ける。
【００３１】
ここで、塩素測定用電極６ａ（アノード），６ｂ（カソード）は、カソードとして金（Ａｕ）、アノードとして銀（Ａｇ）が用いられるが、長時間、水中に浸触し続けると、汚れが電極に付着し、塩素濃度の測定誤差を生じさせる原因となる。
【００３２】
一般的に汚れが付着した電極の洗浄方法として、ビーズ材による研磨があるが、研磨による脱落紛が飲料水中に混入するので、ビーズ材による研磨方法を採用することは好ましくない。
【００３３】
そこで、制御部２の塩素濃度測定用電極切替部５は、一定期間毎に、塩素測定用電極６ａ（アノード）と６ｂ（カソード）とを入れ替える出力指示を行い、その極性を入れ替えて、金（Ａｕ）側をアノードとし、銀（Ａｇ）側をカソードとして、電圧を印加する。
【００３４】
極性を換えると、両電極間には逆電界がかかるようになり、電極に付着した汚れが、脱離する作用効果を受けて、汚れが除去される。また、極性を換えても電気分解は起こるので、極性反転を行って、電極の洗浄を行っている最中でも、従来通りにポーラログラフ法による遊離残留塩素濃度の測定は可能である。
【００３５】
ただし、極性を換えた状態で、両電極に急激に電圧を印加し、また急激に電流を流すと、電極の消耗が激しくなり、測定系の寿命を縮めることになる。そこで、極性を入れ換えて、遊離残留塩素の濃度を測定する際、塩素濃度測定部３は、所定の電圧値あるいは電流値に達するまでの時間に対する上昇勾配を緩くするように設定しておく。
【００３６】
また、塩素濃度検出部６に長時間、電圧を印加すると、電気分解によって、塩素測定用電極６ａ（アノード），６ｂ（カソード）が磨耗し、電流−遊離残留塩素濃度の特性が変化し、遊離残留塩素濃度の測定誤差を生じさせる原因となる。
【００３７】
そこで、塩素測定用電極６の磨耗を防ぎ、長寿命にすべく、遊離残留塩素濃度の測定を常時行うのではなく、一定期間をおいて行うようにする。そして、遊離残留塩素濃度の測定を行わない時は、制御部２内の塩素濃度測定用電極駆動部４から、塩素濃度検出部６を飲料水中から挿引する出力指示をすることによって、塩素濃度測定用電極６ａ（アノード），６ｂ（カソード）を駆動させて水面上まで引き上げる。
【００３８】
塩素濃度測定用電極６ａ（アノード），６ｂ（カソード）を飲料水中から引き上げることによって、塩素濃度測定用電極６ａ（アノード），６ｂ（カソード）の磨耗を防ぐことができるとともに、汚れの付着を防止することができ、測定系全体の寿命を長くすることができる。
【００３９】
なお、遊離残留塩素は、上述したように、塩素（Ｃｌ２）と、次亜塩素酸（ＨＣｌＯ）と、次亜塩素酸イオン（ＣｌＯ−）から構成されている。そして、水中では、ｐＨに依存して、各分子の存在比が異なっている（図２参照）。ポーラログラフ法においては、この内、次亜塩素酸（ＨＣｌＯ）だけを測定することになる。
【００４０】
遊離残留塩素は、塩素（Ｃｌ２）と、次亜塩素酸（ＨＣｌＯ）と、次亜塩素酸イオン（ＣｌＯ−）を含むものであるから、次亜塩素酸（ＨＣｌＯ）の存在比特性と、蓄積槽２２内の飲料水のｐＨ値とを予め求めておき、制御部２内の塩素濃度測定部３に補正係数として設定しておくことによって、精度の高い遊離残留塩素濃度を得ることができる。なお、塩素濃度検出部６の近傍にｐＨセンンサを設け、塩素濃度測定部３は、このｐＨセンサが検出したｐＨ値をもとに塩素濃度を補正するようにしてもよい。
【００４１】
また、ポーラログラフ法による遊離残留塩素の濃度測定では、水温によっても測定値が変動することが知られている。このため、水温と遊離残留塩素濃度との関係を予め塩素濃度測定部３に設定しておき、蓄積槽７の塩素濃度測定用電極６ａ（アノード），６ｂ（カソード）の近傍に設けたサーミスタ１０によって、塩素濃度測定用電極６ａ（アノード），６ｂ（カソード）近傍の水温を測定し、この測定した水温の値を塩素濃度測定部３に入力して補正を加えることによって、一層、精度の高い遊離残留塩素の濃度を得ることができる。
【００４２】
このようにして制御された遊離残留塩素の濃度は、図３の制御結果に示すように、時間が経過しても、常に、目標の制御値である０．３ｐｐｍの濃度に自動的に制御することができる。これによって、常に安全性の高くかつ美味しい飲料水を給水することができる。
【００４３】
なお、上述した実施の形態１では、三方弁８および配管９を介して飲料水が循環される構成としたが、三方弁８および配管９の構成を削除し、飲料水を循環させずに、そのまま給水するようにしてもよい。
【００４４】
（実施の形態２）
つぎに、この発明の実施の形態２について説明する。上述した実施の形態１は、蓄積槽２２およびサブ蓄積槽７の２つの蓄積槽を設けていたが、この実施の形態２では、１つの蓄積槽２２のみで、上述した実施の形態１と同様な作用効果を得ることができるようにしている。
【００４５】
図４は、この発明の実施の形態２にかかる塩素濃度制御装置の構成を示すブロック図である。図４において、この塩素濃度制御装置１は、図１に示した塩素濃度制御装置１のサブ蓄積槽７、三方弁８、配管９の構成を削除し、蓄積槽２２内に塩素濃度検出部６を設け、さらに蓄積槽２２内に撹拌装置１２を設けている。また、制御部２は、この攪拌装置１２を制御する攪拌制御部１１を有している。すなわち、この実施の形態２では、実施の形態１に示したように飲料水を循環させるのではなく、１つの蓄積槽２２内で飲料水を攪拌させるようにし、遊離残留塩素の濃度検出時における蓄積槽２２内の濃度ばらつきをなくすようにしている。その他の構成は実施の形態１と同じであり、同一構成部分には、同一符号を付している。
【００４６】
攪拌制御部１１は、実施の形態１におけるポンプ２５に対する制御と同様に、遊離残留塩素の濃度測定時に動作させる。これによって、蓄積槽２２内の遊離残留塩素は攪拌され、蓄積槽２２内の遊離残留塩素の濃度が均一になり、精度の高い濃度測定を行うことができる。
【００４７】
この実施の形態２では、１つの蓄積槽２２のみを用いているため、塩素濃度制御装置の全体構成を一層簡易にすることができる。
【００４８】
【発明の効果】
以上に説明したように、この発明にかかる塩素濃度制御装置によれば、飲料水に供することができる水の遊離残留塩素濃度を、人手を要せず正確に測定でき、かつ自動的に塩素濃度を一定に維持することができるという効果を奏する。
【００４９】
また、この発明によれば、塩素濃度測定用に使用する電極を、塩素濃度測定中に電極を磨耗させずに、かつ電極の寿命を縮めないで洗浄できるという効果を奏する。
【図面の簡単な説明】
【図１】この発明の実施の形態１にかかる塩素濃度制御装置の構成を示すブロック図である。
【図２】ｐＨ値に対する遊離残留塩素の成分（（Ｃｌ２）、次亜塩素酸（ＨＣｌＯ）、次亜塩素酸イオン（ＣｌＯ−））の比を示す図である。
【図３】この発明の実施の形態１にかかる塩素濃度制御装置による制御結果の一例を示す図である。
【図４】この発明の実施の形態２にかかる塩素濃度制御装置の構成を示すブロック図である。
【図５】従来の塩素濃度制御装置の構成を示すブロック図である。
【符号の説明】
１      塩素濃度制御装置
２      制御部
３      塩素濃度測定部
４      塩素濃度測定用電極駆動部
５      塩素濃度測定用電極切替部
６      塩素濃度検出部
６ａ    塩素濃度測定用電極（アノード）
６ｂ    塩素濃度測定用電極（カソード）
７      サブ蓄積槽
８      三方弁
９      配管
１０    サーミスタ
１１    攪拌制御部
１２    攪拌装置
２２    蓄積槽
２３    給水管
２４    塩素発生用電極
２５    ポンプ
２６    塩素発生制御部
２７    カーボンフィルタ
２８，２９  バルブ
【図１】
2004223419.tif 000003
【図２】
2004223419.tif 000004
【図３】
2004223419.tif 000005
【図４】
2004223419.tif 000006
【図５】
2004223419.tif 000007